(57)【要約】【課題】  ディスプレイとその周囲の枠部とを照明するのに、ディスプレイ用のリフレクタと枠部用のリフレクタとを個別に要さないようにする。【解決手段】  液晶ディスプレイ６とその周囲のクリアリング１０の内周部１０ａ（枠部）とをそれらの裏側にそれぞれ配置したランプ２３，２４，２４の発する光により照明するものにおいて、ディスプレイ用のランプ２３の発する光を液晶ディスプレイ６に向けて反射するディスプレイ用リフレクタ１４と、枠部用のランプ２４，２４の発する光をクリアリング１０の内周部１０ａに向けて反射する枠部用リフレクタ１５とを一体に形成して成るリフレクタユニット１３を具えた。【選択図】  図１
2006058382.tif 000002
【特許請求の範囲】
【請求項１】
ディスプレイとその周囲の枠部とをそれらの裏側にそれぞれ配置した発光体の発する光により照明するものにおいて、
前記ディスプレイ用の発光体の発する光をディスプレイに向けて反射するディスプレイ用リフレクタと、前記枠部用の発光体の発する光を枠部に向けて反射する枠部用リフレクタとを一体に形成して成るリフレクタユニットを具備することを特徴とする表示装置。
【発明の詳細な説明】
【技術分野】
【０００１】
本発明は、ディスプレイとその周囲の枠部とを照明する表示装置に関する。
【背景技術】
【０００２】
従来より、例えば車両用、特には自動車用の表示装置においては、各種の表示をするディスプレイが具えられ、これを、その裏側に配置した発光体の発する光によって照明するようにしたものが供されている。しかして、このものの場合、ディスプレイの裏側には、上記発光体と共に、該発光体の発した光をディスプレイに向けて反射するリフレクタが具えられており、それによって、ディスプレイをむらなく照明するようになっている。
【０００３】
ところで、近年、上述のディプレイだけでなく、それの周囲の枠部をも例えばリング状に照明することが考えられており、このものにおいては、それの裏側にも発光体と共に、該発光体の発した光をその枠部に向けて反射するリフレクタが具えられる。
【発明の開示】
【発明が解決しようとする課題】
【０００４】
しかしながら、上述のように、ディスプレイとその周囲の枠部とを照明するにも、ディスプレイ用のリフレクタと、枠部用のリフレクタとを個別に有するものでは、それらの部品の個々の製造から組立てまで手間がかかり、コスト高となることが考えられる。
【０００５】
本発明は上述の事情に鑑みてなされたものであり、従ってその目的は、ディスプレイとその周囲の枠部とを照明するのに、ディスプレイ用のリフレクタと枠部用のリフレクタとを個別に要さず、コストの低減化ができる表示装置を提供するにある。
【課題を解決するための手段】
【０００６】
上記目的を達成するために、本発明の表示装置は、ディスプレイとその周囲の枠部とをそれらの裏側にそれぞれ配置した発光体の発する光により照明するものにおいて、前記ディスプレイ用の発光体の発する光をディスプレイに向けて反射するディスプレイ用リフレクタと、前記枠部用の発光体の発する光を枠部に向けて反射する枠部用リフレクタとを一体に形成して成るリフレクタユニットを具備することを特徴とする。
【発明の効果】
【０００７】
上記手段によれば、リフレクタユニットでディスプレイ用リフレクタと枠部用リフレクタとが一体に形成されているのであるから、それらの部品の製造から組立てまで手間を省き、コスト安にできる。
【発明を実施するための最良の形態】
【０００８】
以下、本発明の一実施例（一実施形態）につき、図面を参照して説明する。
まず、図２には、車両用、特には自動車用の表示装置の１つを示しており、この場合、風の吹出し方向と風量とを表示する風向・風量表示装置であって、人の表示１と、人の頭部への風向と風量の表示２と、人の足元への風向と風量の表示３と、自動車のフロントウィンドの表示４と、フロントウィンドへの風向と風量の表示５をするディスプレイ、特にこの場合、液晶ディスプレイ６を使用している。なお、風量は、それぞれ、風向を表示する矢印の数でそれを表示するようになっている。
【０００９】
上記液晶ディスプレイ６は、図１に示すように、前面をクリアカバー７で覆っており、クリアカバー７は内枠８と外枠９とで囲い、更に、その周囲に透明の枠部構成部材としてのクリアリング１０を配設して、該クリアリング１０の内周部１０ａと、外枠９の前部、及びクリアカバー７のほとんど全部を、パネル１１の円形開口１２から前方に露出させている。
【００１０】
そして、液晶ディスプレイ６の裏側には、リフレクタユニット１３を配設している。このリフレクタユニット１３は、ディスプレイ用リフレクタ１４と枠部用リフレクタ１５とを図３及び図４に示すように一体に形成して成るもので、詳細には、ディスプレイ用リフレクタ１４が中央で椀状（パラボラ反射鏡状）を成し、その周囲に枠状（リング状）の枠部用リフレクタ１５が位置して、これらを放射状の４本のリブ１６により連結しており、更にその周囲部には矩形のフレーム１７が存在している。
【００１１】
又、枠部用リフレクタ１５は、フレーム１７の一方の対の対角対応位置１８，１８から他方の対の対角対応位置１９，１９に向かって漸次その高さを減じる斜面状に形成している。そして、ディスプレイ用リフレクタ１４の中心部と、枠部用リフレクタ１５の最も低い部分（１９，１９）が対応したフレーム１７の対角位置には、それぞれ発光体組込孔２０，２１，２１を形成している。
【００１２】
しかして、上記リフレクタユニット１３の裏側には回路基板２２を配設しており、この回路基板２２が必要な回路パターン（図示せず）を有すると共に、ランプ２３，２４，２４を実装して有している。これらのランプ２３，２４，２４は、バックライトとしての発光体であり、そのうちのランプ２３を上記リフレクタユニット１３のディスプレイ用リフレクタ１４における発光体組込孔２０に挿通させ、ランプ２４，２４を枠部用リフレクタ１５における発光体組込孔２１，２１にそれぞれ挿通させている。
【００１３】
なお、液晶ディスプレイ６は、周囲部に常に（透明電極板２２，２３により電圧をかけなくても）透光する透光部２５を有しており、この透光部２５を、前記クリアカバー７のフランジ７ａ下面に当接させて、前記クリアリング１０の内周部１０ａに臨ませている。
【００１４】
以上の構成で、ランプ２３の発した光は、直接に、そしてディスプレイ用リフレクタ１４に反射されて、液晶ディスプレイ６の中央部一帯の部分（表示１〜５の存在する部分）に投じられ、バックライト照明の作用をする。又、ランプ２４，２４の発した光は、直接に、そして枠部用リフレクタ１５に反射されて、液晶ディスプレイ６周囲部の透光部２５からクリアカバー７のフランジ７ａを透り、更に、クリアリング１０の内周部１０ａを透って、クリアカバー７に覆われた液晶ディスプレイ６の上記表示１〜５の存在する部分の周囲枠部である該クリアリング１０の内周部１０ａを照明する。
【００１５】
このように本構成においては、液晶ディスプレイ６とその周囲の枠部（クリアリング１０の内周部１０ａ）とをそれらの裏側にそれぞれ配置した発光体の発する光により照明するものにおいて、液晶ディスプレイ６用の発光体であるランプ２３の発する光を液晶ディスプレイ６に向けて反射するディスプレイ用リフレクタ１４と、枠部用の発光体であるランプ２４，２４の発する光を枠部に向けて反射する枠部用リフレクタ１５とを、リフレクタユニット１３にて一体に形成している。これにより、それらディスプレイ用リフレクタ１４及び枠部用リフレクタ１５を個別に有する従来構想のものに比し、それらの部品の製造から組立てまで手間を省き得、コスト安にすることができる。
【００１６】
なお、本発明は自動車用など車両用の表示装置に限られず、それ以外の表示装置にも同様に適用して実施することができる。又、液晶ディスプレイ６で例示したディスプレイもそれに限られるものではない。
そのほか、本発明は上記し且つ図面に示した実施例にのみ限定されるものではなく、要旨を逸脱しない範囲内で適宜変更して実施し得る。
【図面の簡単な説明】
【００１７】
【図１】本発明の一実施例を示す、図２のＸ−Ｘ線に沿う断面図
【図２】表示装置全体の正面図
【図３】リフレクタユニットの表側の斜視図
【図４】リフレクタユニットの裏側の斜視図
【符号の説明】
【００１８】
図面中、６は液晶ディスプレイ（ディスプレイ）、１０ａはクリアリングの内周部（枠部）、１３はリフレクタユニット、１４はディスプレイ用リフレクタ、１５は枠部用リフレクタ、２３はランプ（ディスプレイ用発光体）、２４はランプ（枠部用発光体）を示す。
【図１】
2006058382.tif 000003
【図２】
2006058382.tif 000004
【図３】
2006058382.tif 000005
【図４】
2006058382.tif 000006